【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
無線構内ネットワーク内の第１のノード，ポイント又は端末において，該無線構内ネットワーク内の第２のノード，ポイント又は端末から，特定マルチキャストグループ用マルチキャスト待機期間に関する情報を含む信号を受信するステップと，
前記第１のノード，ポイント又は端末において，少なくとも部分的に前記信号に含まれる前記情報によって，前記第２のノード，ポイント又は端末と通信するためのマルチキャストサービス期間を判定するステップと，
を有する方法。
【請求項２】
前記第１のノード，ポイント又は端末と，前記第２のノード，ポイント又は端末とは，前記無線構内ネットワーク内のアクセスポイント，ほかの適切なネットワークノード又は端末と，無線局，ほかの適切なネットワークノード又は端末と，を含む請求項１に記載の方法。
【請求項３】
前記アクセスポイント及び前記無線局は，ビーコン及びプローブ応答フレーム並びに（再）アソシエーション要求フレーム内の新規フィールドを用いて，マルチキャスト及び同報可変待機期間に対応する能力を示すことができる請求項２に記載の方法。
【請求項４】
マルチキャスト及び同報サービス設定信号通知によって，マルチキャストサービスを設定するステップを更に有する請求項１に記載の方法。
【請求項５】
この信号通知段階において，マルチキャスト及び同報サービスの待機期間を，前記無線構内ネットワーク内の前記第１のノード，ポイント又は端末と，前記第２のノード，ポイント又は端末との間で合意することができる請求項１に記載の方法。
【請求項６】
前記無線局からの信号は，マルチキャスト及び同報サービス特性に応じて提案された待機期間に関する情報を含み，前記アクセスポイントは，前記提案された待機期間を受け入れるか，又は新規の待機期間を規定することができる請求項２に記載の方法。
【請求項７】
前記アクセスポイントはまた，マルチキャストサービス情報・情報要素を送信して，活性待機期間は各ビーコン及びプローブ応答フレームであることを広告することができる請求項６に記載の方法。
【請求項８】
前記アクセスポイントはまた，バッファされた同報データ，及び／又はあるマルチキャストグループに属すバッファされたマルチキャスト情報があるかどうかを示すことができる請求項７に記載の方法。
【請求項９】
無線構内ネットワーク内の第１のノード，ポイント又は端末において，該無線構内ネットワーク内の第２のノード，ポイント又は端末から，特定マルチキャストグループ用マルチキャスト待機期間に関する情報を含む信号を送信するステップと，
前記第１のノード，ポイント又は端末において，前記第２のノード，ポイント又は端末と通信するためのマルチキャストサービス期間を受信するステップと，
を有する方法。
【請求項１０】
前記第１のノード，ポイント又は端末と，前記第２のノード，ポイント又は端末とは，前記無線構内ネットワーク内のアクセスポイント，ほかの適切なネットワークノード又は端末と，無線局，ほかの適切なネットワークノード又は端末と，を含む請求項９に記載の方法。
【請求項１１】
前記アクセスポイント及び前記無線局は，ビーコン及びプローブ応答フレーム並びに（再）アソシエーション要求フレーム内の新規フィールドを用いて，マルチキャスト及び同報可変待機期間に対応する能力を示すことができる請求項１０に記載の方法。
【請求項１２】
マルチキャスト及び同報サービス設定信号通知によって，マルチキャストサービスを設定するステップを更に有する請求項９に記載の方法。
【請求項１３】
この信号通知段階において，前記のマルチキャスト及び同報サービスの待機期間を，前記無線構内ネットワーク内の前記第１のノード，ポイント又は端末と，前記第２のノード，ポイント又は端末との間で合意することができる請求項９に記載の方法。
【請求項１４】
前記無線局からの信号は，マルチキャスト及び同報サービス特性に応じて提案された待機期間に関する情報を含み，前記アクセスポイントは，前記提案された待機期間を受け入れるか，又は新規の待機期間を規定することができる請求項１０に記載の方法。
【請求項１５】
前記アクセスポイントはまた，マルチキャストサービス情報・情報要素を送信して，活性待機期間は各ビーコン及びプローブ応答フレームであることを広告することができる請求項１４に記載の方法。
【請求項１６】
前記アクセスポイントはまた，バッファされた同報データ，及び／又はあるマルチキャストグループに属すバッファされたマルチキャスト情報があるかどうかを示すことができる請求項１５に記載の方法。
【請求項１７】
第１のノード，ポイント又は端末であって，
無線構内ネットワーク内の第２のノード，ポイント又は端末から，特定マルチキャストグループ用マルチキャスト待機期間に関する情報を含む信号を受信し，前記信号に含まれる前記情報によって，前記第２のノード，ポイント又は端末と通信するためのマルチキャストサービス期間を判定するように構成した１又は複数のモジュールを備える第１のノード，ポイント又は端末。
【請求項１８】
前記第１のノード，ポイント又は端末と，前記第２のノード，ポイント又は端末とは，前記無線構内ネットワーク内のアクセスポイント，ほかの適切なネットワークノード又は端末と，無線局，ほかの適切なネットワークノード又は端末と，を含む請求項１７に記載の第１のノード，ポイント又は端末。
【請求項１９】
前記アクセスポイント及び前記無線局は，ビーコン及びプローブ応答フレーム並びに（再）アソシエーション要求フレーム内の新規フィールドを用いて，マルチキャスト及び同報可変待機期間に対応する能力を示すことができる請求項１８に記載の第１のノード，ポイント又は端末。
【請求項２０】
前記１又は複数のモジュールは，マルチキャスト及び同報サービス設定信号通知によって，マルチキャスト及び同報サービスを設定するように構成される請求項１７に記載の第１のノード，ポイント又は端末。
【請求項２１】
この信号通知段階において，マルチキャスト及び同報サービスの待機期間を，前記無線構内ネットワーク内の前記第１のノード，ポイント又は端末と，前記第２のノード，ポイント又は端末との間で合意することができる請求項１７に記載の第１のノード，ポイント又は端末。
【請求項２２】
前記無線局からの信号は，マルチキャスト及び同報サービス特性に応じて提案された待機期間に関する情報を含み，前記アクセスポイントは，前記提案された待機期間を受け入れるか，又は新規の待機期間を規定することができる請求項１８に記載の第１のノード，ポイント又は端末。
【請求項２３】
前記アクセスポイントはまた，マルチキャストサービス情報・情報要素を送信して，活性待機期間は各ビーコン及びプローブ応答フレームであることを広告することができる請求項２２に記載の第１のノード，ポイント又は端末。
【請求項２４】
前記アクセスポイントはまた，バッファされた同報データ，及び／又はあるマルチキャストグループに属すバッファされたマルチキャスト情報があるかどうかを示すことができる請求項２３に記載の第１のノード，ポイント又は端末。
【請求項２５】
マルチキャスト又は同報情報を，前記第１のノード，ポイント，又は端末が同一のマルチキャスト又は同報アドレスからのデータをバッファしていることを示す「継続データ」ビットを用いて送信する請求項１７に記載の第１のノード，ポイント又は端末。
【請求項２６】
機械可読媒体に記憶された計算機プログラムであって，無線構内ネットワーク内のアクセスポイントのような第１のノード，ポイント又は端末のモジュールにおいて実行すると，
前記第１のノード，ポイント又は端末において，前記無線構内ネットワーク内の第２のノード，ポイント又は端末から，特定マルチキャストグループ用マルチキャスト待機期間に関する情報を含む信号を受信するステップと，
前記第１のノード，ポイント又は端末において，少なくとも部分的に前記信号に含まれる前記情報によって，前記第２のノード，ポイント又は端末と通信するためのマルチキャストサービス期間を判定するステップと，
を有する方法を実行する計算機プログラム。
【請求項２７】
前記第１のノード，ポイント又は端末内のプロセッサ，コントローラ又はほかの適切なモジュールによって実行される計算機プログラムによって，前記方法ステップを実現するステップを更に有する請求項１に記載の方法。
【請求項２８】
前記第１のノード，ポイント，又は端末が同一のマルチキャスト又は同報アドレスからのデータをバッファしていることを示す「継続データ」ビットを用いて，マルチキャスト又は同報情報を送信するステップを有する請求項１に記載の方法。
【請求項２９】
無線構内ネットワーク内の第１のノード，ポイント又は端末から，該無線構内ネットワーク内の第２のノード，ポイント又は端末へ，特定マルチキャストグループ用マルチキャスト待機期間に関する情報を含む信号を送信し，前記無線構内ネットワーク内の前記第１のノード，ポイント又は端末において，前記無線構内ネットワーク内の前記第２のノード，ポイント又は端末と通信するためのマルチキャストサービス期間を受信するように構成した１又は複数のモジュールを備える装置。
【請求項３０】
前記装置及び第２の装置は，前記無線構内ネットワーク内のアクセスポイント，ほかの適切なネットワークノード又は端末と，無線局，ほかの適切なネットワークノード又は端末と，を含む請求項２９に記載の装置。
【請求項３１】
この信号通知段階において，マルチキャスト及び同報サービスの待機期間を，前記無線構内ネットワーク内の前記装置と，前記第２の装置との間で合意することができる請求項２９に記載の装置。
【請求項３２】
前記アクセスポイント及び前記無線局は，ビーコン及びプローブ応答フレーム並びに（再）アソシエーション要求フレーム内の新規フィールドを用いて，マルチキャスト及び同報可変待機期間に対応する能力を示すことができる請求項３０に記載の装置。
【請求項３３】
前記１又は複数のモジュールは，マルチキャスト及び同報サービス設定信号通知によって，マルチキャストサービスを設定するように更に構成される請求項２９に記載の装置。
【請求項３４】
前記無線局からの信号は，マルチキャスト及び同報サービス特性に応じて提案された待機期間に関する情報を含み，前記アクセスポイントは，前記提案された待機期間を受け入れるか，又は新規の待機期間を規定することができる請求項３０に記載の装置。
【請求項３５】
前記マルチキャスト及び／又は同報可変待機期間を少なくとも部分的に用いて，前記第２のノード，ポイント又は端末へ通信信号を供給するステップを更に有する請求項１に記載の方法。
【請求項３６】
前記１又は複数のモジュールは，前記マルチキャスト及び／又は同報可変待機期間を少なくとも部分的に用いて，前記第２のノード，ポイント又は端末へ通信信号を供給するように構成される請求項１７に記載の第１のノード，ポイント又は端末。
【請求項３７】
前記アクセスポイントはまた，マルチキャストサービス情報・情報要素を送信して，活性待機期間は各ビーコン及びプローブ応答フレームであることを広告することができる請求項３４に記載の装置。